(57)【要約】【課題】ＰＴＰシートに代表される直方体形収容物が箱体の中で大きく揺れないように緩衝的に保持する構造を有し、シンプルで組み立てやすい包装箱を提供する。【解決手段】第二の蓋部１４(2)は、第二内蓋片７８と、第二内蓋片７８の内側に配置されるサイドフラップ４８と、その先端部に順に延設された可撓板５４及び摺動板５８を備える。直方体形収容物１６を収容した組み立て状態で、サイドフラップ４８は、第二内蓋片７８の内側に重なり、摺動板５８は、側面板２４の内面に摺接する。可撓板５４は、サイドフラップ４８及び側面板２４が交差する角部に斜めに配置されるとともに、内面に直方体形収容物１６の長さ方向の一端面の角部を受け止めて外向きに撓む。そして、直方体形収容物１６は、可撓板５４の撓みの反発力によって、第一の蓋部１４(1)の方向に押圧される。【選択図】図４
0003222860.tif 000002
【実用新案登録請求の範囲】
【請求項１】
内側に直方体形収容物を収容する角筒形胴部と、前記角筒形胴部の両端部の開口を各々閉鎖する第一及び第二の蓋部を備え、前記角筒形胴部は複数の側面板で構成され、前記第二の蓋部は、前記角筒形胴部の開口を塞ぐ蓋片と、前記蓋片の内側に配置されるフラップと、前記フラップの先端部に延設された可撓板とで構成され、前記フラップは、前記複数の側面板の中の一側面板の端部に第一の折罫線を介して延設され、前記フラップと前記可撓板は、前記第一の折罫線と平行な第二の折罫線によって区切られ、
前記直方体形収容物を収容した組み立て状態で、前記第一及び第二の折罫線が各々所定角度に折れ曲がり、前記フラップは、前記蓋片の内側に重なり、前記可撓板は、前記フラップ及び前記一側面板が交差する角部に斜めに配置されるとともに、内面に前記直方体形収容物の長さ方向の一端面の角部を受け止めて外向きに撓み、
前記直方体形収容物は、前記可撓板の撓みの反発力によって前記第一の蓋部の方向に押圧されることを特徴とする包装箱。
【請求項２】
前記複数の側面板のうち、互いに対向する２つの前記側面板の端部に、前記フラップ及び前記可撓板が各々設けられている請求項１記載の包装箱。
【請求項３】
前記第一の蓋部に、前記第二の蓋部が有する前記フラップ及び前記可撓板と同様の構成が、前記角筒形胴部の中心を軸にして鏡面対称に設けられている請求項１又は２記載の包装箱。
【請求項４】
前記可撓板の先端部に第三の折罫線を介して摺動板が延設され、前記直方体形収容物を収容した組み立て状態で、前記摺動板は、前記一側面板の内面に摺接する請求項１乃至３のいずれか記載の包装箱。
【考案の詳細な説明】
【技術分野】
【０００１】
この考案は、収容物を緩衝的に保持する機構を有した包装箱に関し、特に、略直方体外形収容物の包装に適した包装箱に関する。
【背景技術】
【０００２】
医薬品を包装するときは、添付文書（能書など）を同封することが義務付けられている。しかし、医薬品の主要な納入先は病院等の医療機関であり、医療機関の薬剤師等は添付文書の内容をすでに理解しているので、確認が必要な場合を除いて添付文書は読まずに廃棄されるケースが多い。特に近年、インターネットを介して添付文書の内容を確認出来る環境も整ったことにより、添付文書の必要性が低下し、不必要な添付文書を薬剤師等が廃棄するのに手間が掛かっていることや、多量の添付文書の廃棄処理が環境負荷になっていることが問題視され、医薬品に添付文書を同封するルールを廃止することが検討されている。
【０００３】
例えば、収容物が薬用の錠剤等を封止したＰＴＰシートの場合、添付文書は、輸送中にＰＴＰシートが大きく揺れたり外箱の内面に強くぶつかったりするのを防ぐ働きをする。そのため、添付文書が同封されなくなると、医薬品を保護する別の手段を設ける必要がある。
【０００４】
従来、例えば特許文献１に開示されているように、薬品などが充填されたボトル形容器等の収容物を保護する機構を備えた包装箱があった。この包装箱は、箱体の開口端に設けられた一対のフラップを有し、片方のフラップは、収容物の上面に配する平板部と、平板部から延び、収容物の上部を挿通可能な孔を有した孔あき平板部とから成り、平板部及び孔あき平板部は、互いに向かい合わせに折り返し可能に設けられている。収容物は、この包装箱の中に収容されると、上部が孔あき平板部の孔の中に入って位置決めされ、輸送中、ボトル形容器が大きく揺れないように緩衝的に保持される。
【先行技術文献】
【特許文献】
【０００５】
【特許文献１】特開２００６−８２１３号公報
【考案の概要】
【考案が解決しようとする課題】
【０００６】
特許文献１の包装箱のフラップの構造は、ボトル形容器の包装には適しているが、ＰＴＰシートのような直方体形収容物の包装には使用しにくい構造である。
【０００７】
本考案は、ＰＴＰシートに代表される直方体形収容物が箱体の中で大きく揺れないように緩衝的に保持する構造を有し、シンプルで組み立てやすい包装箱を提供することを目的とする。
【課題を解決するための手段】
【０００８】
本考案は、内側に直方体形収容物を収容する角筒形胴部と、前記角筒形胴部の両端部の開口を各々閉鎖する第一及び第二の蓋部を備え、前記角筒形胴部は複数の側面板で構成され、前記第二の蓋部は、前記角筒形胴部の開口を塞ぐ蓋片と、前記蓋片の内側に配置されるフラップと、前記フラップの先端部に延設された可撓板とで構成され、前記フラップは、前記複数の側面板の中の一側面板の端部に第一の折罫線を介して延設され、前記フラップと前記可撓板は、前記第一の折罫線と平行な第二の折罫線によって区切られ、
前記直方体形収容物を収容した組み立て状態で、前記第一及び第二の折罫線が各々所定角度に折れ曲がり、前記フラップは、前記蓋片の内側に重なり、前記可撓板は、前記フラップ及び前記一側面板が交差する角部に斜めに配置されるとともに、内面に前記直方体形収容物の長さ方向の一端面の角部を受け止めて外向きに撓み、前記直方体形収容物は、前記可撓板の撓みの反発力によって前記第一の蓋部の方向に押圧される包装箱である。
【０００９】
前記複数の側面板のうち、互いに対向する２つの前記側面板の端部に、前記フラップ及び前記可撓板が各々設けられているものでもよい。さらに、前記第一の蓋部に、前記第二の蓋部が有する前記フラップ及び前記可撓板と同様の構成が、前記角筒形胴部の中心を軸にして鏡面対称に設けられているものでもよい。
【００１０】
また、前記可撓板の先端部に第三の折罫線を介して摺動板が延設され、前記直方体形収容物を収容した組み立て状態で、前記摺動板は、前記一側面板の内面に摺接する構成であるとより好ましい。
【考案の効果】
【００１１】
本考案の包装箱は、ＰＴＰシートに代表される直方体形収容物を対象とし、箱体の中に収容された直方体形収容物を緩衝的に保持し、輸送中、包装箱の中で直方体形収容物が大きく揺れるのを防止することができる。また、収容物を緩衝的に保持する機構を有しない従来の包装箱からの変更点は、フラップの先端部に可撓板や摺動板を付設した点だけであり、組み立て方も非常に簡単なので、従来と同様に効率よく包装することができる。
【図面の簡単な説明】
【００１２】
【図１】本考案の包装箱の一実施形態の組み立て状態を示す図であって、箱体の外観を示す斜視図（ａ）、角筒形胴部及び第一の蓋部を透視した時の内部構造を示す斜視図（ｂ）、直方体形収容物の一例を示す斜視図（ｃ）である。
【図２】この実施形態の包装箱を構成する箱体形成片を裏面側から見た展開図である。
【図３】この実施形態の包装箱の組み立て工程の一例を順に示す平面図（ａ）、（ｂ）、（ｃ）である。
【図４】この実施形態の包装箱の組み立て工程の一例を示す断面図（ａ）、組み立て状態を示す断面図（ｂ）である。
【図５】この実施形態の包装箱の変形例を構成する箱体形成片を裏面側から見た展開図である。
【図６】変形例の包装箱の組み立て工程の一例を順に示す平面図（ａ）、（ｂ）である。
【図７】変形例の包装箱の組み立て工程の一例を示す断面図（ａ）、組み立て状態を示す断面図（ｂ）である。
【考案を実施するための形態】
【００１３】
以下、本考案の包装箱の一実施形態について、図１〜図４に基づいて説明する。この実施形態の包装箱１０は、図１（ａ）、（ｂ）に示すように、角筒形胴部１２の両端が第一及び第二の蓋部１４(1)，１４(2)で各々閉鎖された直方体形状の箱体である。包装対象物は、直方体形収容物１６であり、例えば図１（ｃ）に示すように、略長方形に形成された複数のＰＴＰシートを重ねて束ねたような物品である。以下、直方体形収容物１６の長さをＬ、幅をＷ、厚みをＤとする。
【００１４】
包装箱１０は、厚紙等の一枚のブランクシートを打ち抜いた箱体形成片１８を組み立てることによって形成される。箱体形成片１８は、図２（ａ）に示すように、互いに平行に連接された４つの側面板２０，２２，２４，２６を有している。側面板２０，２２，２４，２６は、連接している幅方向の長さは同じであり、直方体形収容物１６の長さＬの約1.2倍に各々設定されている。側面板２０，２４の連接方向の長さは、側面板２２，２６よりも短くて互いにほぼ等しく、直方体形収容物１６の厚みＤよりも少し長い。そして、側面板２２，２６の連接方向の長さは互いにほぼ等しく、直方体形収容物１６の幅Ｗの約1.2倍に各々設定されている。
【００１５】
側面板２６の連接方向の端部には、糊付け片２８が短く連接されている。糊付け片２８は、角筒形胴部１２を形成するため、組み立て時に側面板２０の端部の裏面に糊付けされる部分である。そして、側面板２０，２２，２４，２６及び糊付け片２８は、各々折罫線３０，３２，３４，３６で区切られている。
【００１６】
各側面板の、図２における上側の端部には、第一の蓋部１４(1)を形成するための部材が延設され、下側の端部には、第一の蓋部１４(2)を形成するための部材が延設されている。
【００１７】
側面板２０，２４の上側の端部にはサイドフラップ３８，４０が延設され、各々折罫線４２，４４で側面板２０，２４と区切られている。サイドフラップ３８，４０の延出長さは、側面板２２，２６の連接方向長さの半分よりも少し短い。また、側面板２０，２４の下側の端部には、サイドフラップ４６，４８が延設され、各々折罫線５０，５２で側面板２０，２４と区切られている。サイドフラップ４６，４８の延出長さも、側面板２２，２６の連接方向長さの半分よりも少し短い。以下、折罫線５２を第一の折罫線５２と称する。
【００１８】
サイドフラップ４８の先端部には、略正方形の可撓板５４が延設され、第一の折罫線５２と平行な第二の折罫線５６でサイドフラップ４８と区切られている。可撓板５４の延出長さは、サイドフラップ４８の延出長さの約1.2〜1.3倍である。さらに、可撓板５４の先端部には、台形状の摺動板５８が延設され、第一及び第二の折罫線５２，５６と平行な第三の折罫線６０で可撓板５４と区切られている。摺動板５８の延出長さは、サイドフラップ４８の延出長さとほぼ同じである。
【００１９】
側面板２２は、上側の端辺２２ａに何も延設されておらず、端辺２２ａの内側に、端辺２２ａと開封用破断線６４とで囲まれた押圧部６２が設けられている。開封用破断線６４は、端辺２２ａの中央部から側面板２２の中央に向かってコの字形に膨出した形状にレイアウトされている。押圧部６２は、包装箱１０を開封する時に指で押し破られる部分である。
【００２０】
また、側面板２２の下側の端部には、略長方形の第二外蓋片６６が延設され、折罫線６８で側面板２２と区切られている。第二外蓋片６６の延出長さは、側面板２０，２４の連接方向長さとほぼ同じである。
【００２１】
側面板２６の上側の端部には、略長方形の第一蓋片７０が延設され、折罫線７２で側面板２６と区切られている。第一蓋片７０の延出長さは、側面板２０，２４の連接方向長さとほぼ同じである。さらに、第一蓋片７０の先端部には、差し込み片７４が延設され、折罫線７６で第一蓋片７０と区切られている。差し込み片７４は、組み立て状態で側面板２２の押圧部６２の内面に差し込まれて糊付けされる部分であり、押圧部６２を覆う大きさに形成されている。
【００２２】
また、側面板２６の下側の端部には、略長方形の第二内蓋片７８が延設され、折罫線８０で側面板２６と区切られている。第二内蓋片７８の延出長さは、側面板２０，２４の連接方向長さよりも少し短い。さらに、折罫線８０の両端から内向きに各々所定長さに亘って解体用破断線８２ａが一対設けられ、側面板２６の内側に、各解体用破断線８２ａの内側先端部を起点とするＵ字形の解体用破断線８２ｂが設けられ、折罫線８０の中央部と解体用破断線８２ｂとで囲まれた部分が、包装箱１０を解体して廃棄する時に指で押し破られる押圧部８４になっている。
【００２３】
次に、包装箱１０の組み立て方法及び直方体形収容物１６の包装方法の一例を説明する。ここでは、図２に示す箱体形成片１８の各折罫線の折り曲げ方について、表面が凸になる折り方を正折り、裏面が凸になる折り方を逆折りと称する。
【００２４】
まず、図３（ａ）に示すように、第二の折罫線５６を正折りし、可撓板５４及び摺動板５８を側面板２４及びサイドフラップ４８に重ねる。さらに、図３（ｂ）に示すように、折罫線３４を正折りし、側面板２６及び糊付け片２８を側面板２２，２４に重ねる。
【００２５】
そして、糊付け片２８の表面に糊８６を塗布した後、折罫線３０を正折りして側面板２０を糊付け片２８に重ね、側面板２０の端部の裏面を糊付け片２８に糊付けする。箱体形成片１８はこの折り畳み状態で包装箱１０の製造工場等から出荷される。
【００２６】
次に、直方体形収容物１６の包装を行う工場等において、箱体形成片１８の折罫線３０，３２，３４，３６を各々９０度に正折りし、側面板２０，２２，２４，２６で成る角筒形胴部１２を形成する。そして、折罫線４２，４４でサイドフラップ３８，４０を各々９０度に正折りし、差し込み片７４の表面に糊を塗布した後、折罫線７２で第一蓋片７０を９０度に正折りし、折罫線７６で差し込み片７４を９０度に正折りし、差し込み片７４を側面板２２の内側に差し込んで押圧部６２の裏面に糊付けする。これで、角筒形胴部１２の一端部を閉鎖する第一の蓋部１４(1)が形成され、図４（ａ）に示す状態になる。
【００２７】
ここまで組み立てると、次に、角筒形胴部１２の反対側の開口部から、直方体形収容物１６を入れる作業を行う。直方体形収容物１６は、長さ方向の一端面の側から角筒形胴部１２の中に差し込む。そして、直方体形収容物１６が角筒形胴部１２の中に収まると、折罫線５０，５２でサイドフラップ４６，４８を各々９０度に正折りする。この操作により、摺動板５８が側面板２４の内面に沿って第一の蓋部１４(1)の方向に移動し、可撓板５４が斜めに立ち上がる。
【００２８】
その後、折罫線８０で第二内蓋片７８を９０度に正折りし、第二内蓋片７８の表面に糊８８を塗布した後、折罫線６８で第二外蓋片６６を９０度に正折りし、第二外蓋片６６の裏面を第二内蓋片７８に糊付けする。これで、角筒形胴部１２の他端部を閉鎖する第二の蓋部１４(2)が形成され、図４（ｂ）及び図１（ａ）、（ｂ）に示す組み立て状態になる。
【００２９】
組み立て状態では、図４（ｂ）に示すように、第一、第二及び第三の折罫線５２，５６，６０が各々所定角度に折れ曲がり、サイドフラップ４８が第二内蓋片７８及び第二外蓋片６６の内側に重なり、摺動板５８が側面板２４の内面に摺接する。可撓板５４は、サイドフラップ４８及び側面板２４が交差する角部に斜めに配置されるとともに、内面に前記直方体形収容物の長さ方向の一端面の角部を受け止めて外向きに撓む。そして、直方体形収容物１６は、可撓板５４の撓みの反発力によって第一の蓋部１４(1)の方向に押圧され、且つ側面板２４から離れる方向（反対側の側面板２０の方向）に押圧される。その結果、直方体形収容物１６は、外箱１２の中で緩衝的に保持され、輸送時に包装箱１０の中で大きく揺れるのが防止される。
【００３０】
包装箱１０を開封する時は、押圧部６２を指で押して開封用破断線６４を破断させ、押圧部６４を側面板２２から切離させる。そして、第一蓋片７０、差し込み片７４及び押圧部６２を一緒に引き上げて、さらにサイドフラップ３８，４０を引き上げると、角筒形胴部１２の一端部が広く開放し、内部の直方体形収容物１６を取り出すことができる。
【００３１】
包装箱１０を開封した後、再封する時は、差し込み片７４を再び側面板２２の内側に差し込む。包装箱１０を開封した後、廃棄する時は、押圧部８４を押して解体用破断線８２ｂを破断させ、第二外底片６６及び第二内蓋片７８を引き上げて解体用破断線７８ａを破断させて、第二の蓋部１４(2)を解体する。これで、包装箱１０を薄く折り畳むことができるので、コンパクトに廃棄することができる。
【００３２】
以上説明したように、包装箱１０は、箱体の中に収容された直方体形収容物１６を緩衝的に保持し、輸送中、包装箱１０の中で直方体形収容物１６が大きく揺れるのを防止することができる。また、収容物を緩衝的に保持する機構を有しない従来の包装箱からの変更点は、サイドフラップ４８の先端部に可撓板５４及び摺動板５８を付設した点だけであり、組み立て方も非常に簡単なので、従来と同様に効率よく包装することができる。さらに、サイドフラップ４８の先端部に可撓板５４と摺動板５８が延設されているので、可撓板５４の動きが摺動板５８により制限され、より確実に可撓板５４による緩衝効果を得ることができる。
【００３３】
次に、包装箱１０の一変形例である包装箱１０ｘについて、図１、図５〜図７に基づいて説明する。包装箱１０ｘは、図１（ａ）に示すように、組み立て状態の外観及び外形は包装箱１０と同じである。ただし、包装対象物は直方体形収容物１６ｘであり、図１（ｃ）に示すように、直方体形収容物１６ｘは、長さＨと厚みＤは直方体形収容物１６と同じであるが、幅Ｗｘは直方体形収容物１６の幅Ｗよりも少し短い。
【００３４】
包装箱１０ｘは、箱体形成片１８ｘを組み立てることによって形成される。箱体形成片１８と異なるのは、側面板２０の下側の端部に、側面板２４の下側の端部に設けられたサイドフラップ４８、可撓板５４及び摺動板５８等と同様の構成が設けられている点であり、その他の構成は同じである。
【００３５】
箱体形成片１８ｘは、図５に示すように、側面板２０の下側の端部に、サイドフラップ４８ｘ、第一折罫線５２ｘ、可撓板５４ｘ、第二折罫線５６ｘ、摺動板５８ｘ及び第三の折罫線６０ｘは設けられている。これらは、側面板２４の下側の端部のサイドフラップ４８、第一折罫線５２、可撓板５４、第二折罫線５６、摺動板５８及び第三の折罫線６０に各々対応し、第二外蓋片６６を軸にして互いに線対称な形状に設定されている。
【００３６】
包装箱１０ｘの組み立て方法は、上記の包装箱１０の組み立て方法と少し異なる。包装箱１０ｘを組み立てるときは、図６（ａ）に示すように、第二の折罫線５６，５６ｘを正折りせずに伸ばしたまま、折罫線３４を正折りし、側面板２６及び糊付け片２８を側面板２２，２４に重ねる。そして、糊付け片２８の表面に糊８６塗布した後、折罫線３０を正折りして側面板２０を糊付け片２８に重ね、側面板２０の端部の裏面を糊付け片２８に糊付けする。箱体形成片１８ｘはこの折り畳み状態で包装箱１０ｘの製造工場等から出荷される。
【００３７】
次に、直方体形収容物１６ｘの包装を行う工場等において、箱体形成片１８ｘの折罫線３０，３２，３４，３６を各々９０度に正折りし、側面板２０，２２，２４，２６で成る角筒形胴部１２を形成する。そして、折罫線４２，４４でサイドフラップ３８，４０を各々９０度に正折りし、差し込み片７４の表面に糊を塗布した後、折罫線７２で第一蓋片７０を９０度に正折りし、折罫線７６で差し込み片７４を９０度に正折りし、差し込み片７４を側面板２２の内側に差し込んで押圧部６２の裏面に糊付けする。これで、角筒形胴部１２の一端部を閉鎖する第一の蓋部１４(1)が形成される。
【００３８】
その後、第二の折罫線５６を正折りし、可撓板５４及び摺動板５８を側面板２４及びサイドフラップ４８に重ねる。さらに、第二の折罫線５６ｘを正折りし、可撓板５４ｘ及び摺動板５８ｘを側面板２４及びサイドフラップ４８に重ねると、図７（ａ）に示す状態になる。
【００３９】
ここまで組み立てると、次に、角筒形胴部１２の開口部から直方体形収容物１６ｘを入れる作業を行う。直方体形収容物１６ｘは、上記と同様に、長さ方向の一端面の側から角筒形胴部１２の中に差し込む。そして、直方体形収容物１６ｘが角筒形胴部１２の中に収まると、第一の折罫線５２，５２ｘでサイドフラップ４８，４８ｘを各々９０度に正折りする。この操作により、摺動板５８が側面板２４の内面に沿って第一の蓋部１４(1)の方向に移動し、可撓板５４が斜めに立ち上がる。同様に、摺動板５８ｘが側面板２０の内面に沿って第一の蓋部１４(1)の方向に移動し、可撓板５４ｘが斜めに立ち上がる。
【００４０】
その後、折罫線８０で第二内蓋片７８を９０度に正折りし、第二内蓋片７８の表面に糊８８を塗布した後、折罫線６８で第二外蓋片６６を９０度に正折りし、第二外蓋片６６の裏面を第二内蓋片７８に糊付けする。これで、角筒形胴部１２の他端部を閉鎖する第二の蓋部１４ｘ(2)が形成され、図７（ｂ）及び図１（ａ）に示す組み立て状態になる。
【００４１】
組み立て状態では、図７（ｂ）に示すように、第一、第二及び第三の折罫線５２，５６，６０が各々所定角度に折れ曲がり、サイドフラップ４８が第二内蓋片７８及び第二外蓋片６６の内側に重なり、摺動板５８が側面板２４の内面に摺接する。同様に、第一、第二及び第三の折罫線５２ｘ，５６ｘ，６０ｘが各々所定角度に折れ曲がり、サイドフラップ４８ｘが第二内蓋片７８及び第二外蓋片６６の内側に重なり、摺動板５８ｘが側面板２０の内面に摺接する。
【００４２】
可撓板５４は、サイドフラップ４８及び側面板２４が交差する角部に斜めに配置されるとともに、内面に直方体形収容物１６ｘの角部を受け止めて外向きに撓む。同様に、可撓板５４ｘは、サイドフラップ４８ｘ及び側面板２０が交差する角部に斜めに配置されるとともに、内面に直方体形収容物１６ｘの反対側の角部を受け止めて外向きに撓む。
【００４３】
そして、直方体形収容物１６は、可撓板５４，５４ｘの撓みの反発力によって第一の蓋部１４(1)の方向に押圧され、且つ側面板２４，２０から離れる方向（角筒形胴部１２の中央部の方向）に押圧される。その結果、直方体形収容物１６ｘは、外箱１２の中で緩衝的に保持され、輸送時に包装箱１０の中で大きく揺れるのが防止される。
【００４４】
包装箱１０ｘの開封方法、開封後の解体方法は、包装箱１０と同様である。この包装箱１０ｘにおいても、包装箱１０と同様の効果を得ることができる。
【００４５】
なお、本考案の包装箱は、上記実施形態に限定されるものではない。例えば、可撓板に必要なバネ性の強さは直方体形収容物の大きさや質量によって異なるので、直方体形収容物が適切に保持されるように、基材の材質や厚み、可撓板の大きさや形状は適宜変更することができる。例えば、包装箱１０の場合、可撓板５４及びサイドフラップ４８の長さが直方体形収容物１６に合わせて最適化され、サイドフラップ４８が反対側のサイドフラップ４６に重ならない設定になっている。しかし、例えば直方体形収容物１６よりも幅狭な直方体形収容物１６ｘを収容する場合は、可撓板５４及びサイドフラップ４８をもっと長くして、サイドフラップ４８がサイドフラップ４６の内側に重なる設定にすればよい。
【００４６】
第二の蓋部を構成する蓋片は、上記のような第二外蓋片６６及び第二内蓋片７８を重ねて糊付けする形態に限定されず、例えば、上記の第一の蓋部１４(1)が有する第一蓋片及び差し込み片７４の形態にしてもよい。
【００４７】
第一の蓋部の形態は自由に変更することができる。例えば、第一の蓋部を構成する蓋片は、上記のような第二外蓋片６６及び第二内蓋片７８を重ねて糊付けする形態にしてもよい。また、第一の蓋部に、第二の蓋部が有するフラップ、可撓板及び摺動板と同様の構成を、角筒形胴部を軸にして略鏡面対称に設けてもよい。これによって、直方体形収容物１６ｘを長さ方向の両側から緩衝的に保持することができる。
【００４８】
その他、包装対象の直方体形収容物の種類は特に限定されず、ＰＴＰシート以外の様々な物品の包装にも使用することができる。
【符号の説明】
【００４９】
１０，１０ｘ  包装箱
１２  角筒形胴部
１４(1)  第一の蓋部
１４(2)  第二の蓋部
１６  直方体形収容物
２０，２２，２４，２６  側面板
４８，４８ｘ  サイドフラップ（フラップ）
５２，５２ｘ  第一の折罫線
５４，５４ｘ  可撓板
５６，５６ｘ  第二の折罫線
５８，５８ｘ  摺動板
６０，６０ｘ  第三の折罫線
【図１】
0003222860.tif 000003
【図２】
0003222860.tif 000004
【図３】
0003222860.tif 000005
【図４】
0003222860.tif 000006
【図５】
0003222860.tif 000007
【図６】
0003222860.tif 000008
【図７】
0003222860.tif 000009